(57)【特許請求の範囲】
【請求項１】
あらかじめ折り目を設けてある連続用紙を左右に振る首振りシュータと、首ふりシュータにて左右に振られた連続用紙を上記折り目に沿ってジグザグ状に折り曲げていく左右のスクリュウと、所定の折り畳み枚数で連続用紙を切断する切断手段と、上記スクリュウから折り出された折り畳み用紙を折り方向の一方向側へ搬送する折りコンベヤと、からなる折り装置において、
折りコンベヤの搬送方向上流側に位置するスクリュウの下側に、
先端をスクリュウの下面に対向させてスクリュウから折り出される折り畳み用紙をスクリュウの下面との間で挟む位置とこの挟み作動を解放する位置とにわたって昇降可能にした用紙押さえ板と、この用紙押さえ板を昇降すると共に、上昇時にはスクリュウから折り出されてくる折り畳み用紙をスクリュウの下面に挟圧付勢しながら用紙押さえ板を下降し、この付勢作用が折り装置での切断手段の作動に同期してなされるようにした付勢手段とからなる用紙押さえ装置を設けた
ことを特徴とする折り装置。
【請求項２】
付勢手段は、これの上昇作用時に、スクリュウの下側へ折り出される折り畳み用紙を軽く挾持するように用紙押さえ板を付勢し、折り装置での用紙切断の信号に基づいて上記挾持作動を解除する方向に用紙押さえ板を作動するようにしたことを特徴とする請求項１記載の折り装置。
【発明の詳細な説明】
【０００１】
【発明の属する技術分野】
本発明は、フォーム印刷機等印刷された連続用紙をジグザグ状に折り畳み、かつ所定の枚数で切断して折り製品として排出する折り装置に関するものである。
【０００２】
【従来の技術】
上記折り装置の一例として、例えば、特開平９−７６４６０号公報に示された折り装置がある。この折り装置は図１に示すようになっていて、加工部にて折り畳み天地方向間隔で横ミシン目が加工された連続用紙１を一定の走行速度で走行させる用紙走行路２と、受けローラ３と上記用紙走行速度より速い周速で回転駆駆動するノズルローラ４を先端部に有し、この両ローラ３，４間に連続用紙１を通して左右に揺動する首振りシュータ５と、この首振りシュータ５の上流側に、マークセンサ６による所定のマークの検出により作動して、連続用紙１にわずかな継ぎ目を残して幅方向に切れ目を入れる全刃型のカット刃を突設すると共に、連続用紙１の走行速度に同期回転し、かつ連続用紙の所定走行長さに応じて検出する信号に基づいて上記切れ目入れ作動を行うカット胴装置７を設け、また上記首振りシュータ５のノズルローラ４を、受けローラ３に対して、この受けローラ３との間で連続用紙１を滑る程度の押圧力にて押圧する第１の位置と、受けローラ３との間で連続用紙１を滑ることなく押圧する第２の位置にわたって接離可能に支持し、首振りシュータ５に、上記カット胴装置７による連続用紙１の切れ目部がノズルローラ４の上流側直前にきたときに、ノズルローラ４をこれの第２の位置にシリンダ装置８にて作動することにより、連続用紙１を切断するようになっている。
【０００３】
上記首振りシュータ５にてジグザグ状に排出される連続用紙１は、この首振りシュータ５の首振り方向両側に設けられたハタキ９ａ，９ｂとスクリュウ１０ａ，１０ｂにて折り目が押さえられて折りコンベヤ１１上に折り畳み積み重ねられるようになっている。
【０００４】
上記折りコンベヤ１１は上記首振りシュータ５の揺動方向の一方へ走行されていて、図１に示すように所定枚数ずつ積み重ねられた状態で一方へ搬出されるようになっている。
【０００５】
【発明が解決しようとする課題】
上記従来の折り装置では、切断後、折りコンベヤ１１上でのセット製品ごとの切断位置による区分けを明確に行う装置がなく、そのため、コンベヤ１１の送り速度や、送り方向の傾斜角を調整することにより、図１に示されるように、セット製品をサシミ状にずらせて排出していた。
【０００６】
このようなサシミ状になっているセット製品は、断裁機などへの次工程へそのまま移行することができず、手作業でセット製品を区分けしてから１セットずつ次工程へ流す必要があり、作業能率が悪かった。
【０００７】
本発明は上記のことにかんがみなされたもので、用紙切断後、折りコンベヤ上に１山ずつ区分けされたセット製品を自動的に得て、手作業での区分けをなくして次工程への搬送を無人化することができるようにした折り装置を提供することを目的とするものである。
【０００８】
【課題を解決するための手段】
上記目的を達成するために、本発明に係る折り製品区分け装置は、あらかじめ折り目を設けてある連続用紙を左右に振る首振りシュータと、首ふりシュータにて左右に振られた連続用紙を上記折り目に沿ってジグザグ状に折り曲げていく左右のスクリュウと、所定の折り畳み枚数で連続用紙を切断する切断手段と、上記スクリュウから折り出された折り畳み用紙を折り方向の一方向側へ搬送する折りコンベヤと、からなる折り装置において、
折りコンベヤの搬送方向上流側に位置するスクリュウの下側に、
先端をスクリュウの下面に対向させてスクリュウから折り出される折り畳み用紙をスクリュウの下面との間で挟む位置とこの挟み作動を解放する位置とにわたって昇降可能にした用紙押さえ板と、この用紙押さえ板を昇降すると共に、上昇時にはスクリュウから折り出されてくる折り畳み用紙をスクリュウの下面に挟圧付勢しながら用紙押さえ板を下降し、この付勢作用が折り装置での切断手段の作動に同期してなされるようにした付勢手段とからなる用紙押さえ装置を設けた構成となっている。
【０００９】
そして上記付勢手段は、これの上昇作用時にスクリュウの下側へ折り出される折り畳み用紙を軽く挾持するように用紙押さえ板を付勢し、折り装置での用紙切断の信号に基づいて上記挾持作動を解除する方向に用紙押さえ板を作動するようにした構成となっている。
【００１０】
【作    用】
あらかじめ折り目を設けられた連続用紙は、折り装置にてこの折り目に沿ってジグザグ状に折り畳まれ、これのスクリュウの下側から折りコンベヤ上に搬出される。このとき、折りコンベヤの搬送方向上流側に位置するスクリュウの下面に、用紙押さえ装置の用紙押さえ板が、付勢手段にて付勢されて対向されていることにより、上記上流側のスクリュウより排出される折り畳み用紙はこのスクリュウと用紙押さえ板にて挾持される。このときの折り畳み用紙は折りコンベヤによる搬送作用は受けず、上流側の端部がスクリュウと用紙押さえ板との間に積み重ねられていく。
【００１１】
折り装置における連続用紙の切断がなされると、この切断動作に連動して付勢手段の付勢作動が解除されて用紙押さえ板が下降して、上記スクリュウと用紙押さえ板との間で略垂直状に積み重ねられた折り畳み用紙が、そのままの状態で折りコンベヤ上を搬送される。
【００１２】
【発明の実施の形態】
本発明の実施の形態を図２以下に基づいて説明する。
なおこの実施の形態において上記した従来の技術の部材と同一構成のものは同一符号を付して説明を省略した。
【００１３】
首振りシュータ５の揺動方向の一方側で、かつ折りコンベヤ１１の走行方向上流側（左側）に位置するスクリュウ１０ａの下側に、このスクリュウ１０ａの下面に対向して用紙押え装置１２が設けてある。
【００１４】
この用紙押え装置１２は、先端面が上記スクリュウ１０ａの下面に対向する用紙押え板１３と、この用紙押え板１３を上下方向に平行移動可能に支持する平行リンク構成となっている昇降リンク機構１４と、この昇降リンク機構１４の１つの回動アーム１４ａに連結してこれを昇降方向に回動するためのエアー圧で作動する紙押さえシリンダ１５とからなっている。上記用紙押さえ板１３の上部は図３，図４に示すように、複数の帯体からなる折りコンベヤ１１の間に配置されていて、この折りコンベヤ１１と干渉することなく昇降動作されるようになっている。１６は支持フレームである。
【００１５】
上記紙押さえシリンダ１５は、これが伸長動作したときに用紙押さえ板１３が上昇してスクリュウ１０ａの下面に当接されるが、この押さえシリンダ１５は、用紙の折り畳み作動中は常時、弱い圧力にて伸長方向に作動され、連続用紙１が、ノズルローラ４にて切断されたときに、このときの信号により押さえシリンダ１５が短縮動作して上記用紙押さえ板１３が折りコンベヤ１１の上面より下方へ下降するようになっている。
【００１６】
上記構成において、首振りシュータ５の揺動により連続用紙１は左右に振られ、左右のハタキ９ａ，９ｂではたかれ、スクリュウ１０ａ，１０ｂにてはさまれて、あらかじめ加工部で加工された横ミシン目に沿って折り畳まれてスクリュウ１０ａ，１０ｂの下側へ順次排出されていく。
【００１７】
このとき、折りコンベヤ１１の搬送方向の上流側（左側）のスクリュウ１０ａの下面に用紙押さえ板１３が軽く当接されていることにより、この搬送方向上流側のスクリュウ１０ａの下側へ排出されてくる折り曲げ用紙は、順次このスクリュウ１０ａと用紙押さえ板１３との間に挟まれていき、この挟み量が多くなるに従って用紙押さえ板１３は一定の挟圧力を保持しながら下降していく。このときの折り畳み排出される用紙の折りコンベヤ１１の上流側は、上記したように、用紙押さえ板１３にて支持されていて、折りコンベヤ１１に接触していないことにより、この折り出された用紙は折りコンベヤ１１による搬送はされず垂直状に折り重ねられた状態で順次その場で積層されていく。
【００１８】
所定枚数にわたって連続用紙１が折り畳まれていき、連続用紙１上に印刷されたマークをマークセンサ６にて検出することにより、カット胴装置７が作動して連続用紙１に切断用の切れ目が入れられ、ついで、この切れ目が首振りシュータ５のノズルローラ４の直前まで移動したときにシリンダ装置８が作動して、連続用紙１の走行速度より速い周速で回転しているノズルローラ４が受けローラ３側に押圧され、連続用紙１はこの部分で切断される。
【００１９】
連続用紙１が上記のようにして切断され、その切断された最後部はセット製品の最上枚目となり、この最上枚目がスクリュウ１０ａ，１０ｂの上面に乗ると、押さえシリンダ１５が短縮動作して用紙押さえ板１３は、これの上面が折りコンベヤ１１の上面より下側に位置するまで下降し、セット製品を解放する。これによりセット製品は略垂直状に積み重ねられた状態で折りコンベヤ１１上に載置されて折りコンベヤ１１により搬送される。
【００２０】
セット製品が折りコンベヤ１１にて移動されて、これが上流側のスクリュウ１０ａの下側から外れると、紙押さえシリンダ１５が伸長して用紙押さえ板１３が上昇して再びスクリュウ１０ａとの間で折り畳み用紙の挾持作動に入る（図２）。このとき、上記折りコンベヤ１１上を移動しはじめたセット製品の最上枚目は、スクリュウ１０ａ，１０ｂから排出され、製品上に重なると共に、次のセット製品の最終枚目は、スクリュウ１０ａから排出されており、用紙押え板１３はこの最終枚目をスクリュウ１０ａの下面との間で挾持する。
【００２１】
次にセット製品が上流側のスクリュウ１０ａの真下で挾持されている間に先行のセット製品は移動を続け、最終的に図２に示すように、折りコンベヤ１１の下流側まで移動して１山のセット製品として完全に区分けされる。
【００２２】
上記各作動において、マークセンサ６がマークを検出してからのノズルローラ５の切断動作、用紙押さえ板１１の作動タイミングは図５に示すようになる。
【００２３】
【発明の効果】
本発明によれば、あらかじめ折り目を設けてある連続用紙を左右に振る首振りシュータと、首ふりシュータにて左右に振られた連続用紙を上記折り目に沿ってジグザグ状に折り曲げていく左右のスクリュウと、所定の折り畳み枚数で連続用紙を切断する切断手段と、上記スクリュウから折り出された折り畳み用紙を折り方向の一方向側へ搬送する折りコンベヤと、からなる折り装置において、折り装置にてジグザグ状に折り畳まれて排出される折り畳み用紙は、この折り装置の下方で、スクリュウの下面と用紙押さえ板の先端とで挟持されて略垂直状に積み重ねられ、所定枚数となって切断された状態で折りコンベヤ上を搬送される。従って折りコンベヤ上に、１山ずつ区分けされたセット製品を自動的に得ることができ、手作業での区分けをなくして次工程の搬送を無人化することができる。
【図面の簡単な説明】
【図１】従来の折り装置の概略的な構成説明図である。
【図２】本発明の実施の形態の要部を示す正面図である。
【図３】図２のＡ−Ａ線矢視図である。
【図４】図２のＢ矢視図である。
【図５】本発明の実施の形態における作動タイミングを示すタイミングチャートである。
【符号の説明】
１…連続用紙、２…用紙走行路、３…受けローラ、４…ノズルローラ、５…首振りシュータ、６…マークセンサ、７…カット胴装置、８…シリンダ装置、９ａ，９ｂ…ハタキ、１０ａ，１０ｂ…スクリュウ、１１…折りコンベヤ，１２…紙押さえ装置、１３…用紙押さえ板、１４…昇降リンク機構、１４ａ…回動アーム、１５…紙押さえシリンダ、１６…支持フレーム。
【図１】
0003870331.tif 000002
【図２】
0003870331.tif 000003
【図３】
0003870331.tif 000004
【図４】
0003870331.tif 000005
【図５】
0003870331.tif 000006